(57)【要約】【課題】  ユーザーの行動に則ったより実感のある嗜好度を得られる番組嗜好情報収集装置及び番組嗜好情報収集方法を提供する。【解決手段】  ユーザーの番組視聴履歴から番組嗜好情報を収集する場合に番組の最後の方まで視聴された当該番組の嗜好度をより上げる手段を備えたことを特徴とする番組嗜好情報収集装置。また、番組視聴端末によるユーザーの視聴履歴から番組嗜好情報を収集する場合に番組の最後の方まで視聴された当該番組の嗜好度をより上げることを特徴とする番組嗜好情報収集方法。【選択図】      図２
2008135942.tif 000002
【特許請求の範囲】
【請求項１】
ユーザーの番組視聴履歴から番組嗜好情報を収集する場合に番組の最後の方まで視聴された当該番組の嗜好度をより上げる手段を備えたことを特徴とする番組嗜好情報収集装置。
【請求項２】
ユーザーの番組視聴履歴から番組嗜好情報を収集する場合に番組の先頭の方だけ視聴されチャンネル切り替えされた当該番組の嗜好度をより下げる手段を備えたことを特徴とする番組嗜好情報収集装置。
【請求項３】
ユーザーの番組視聴履歴から番組嗜好情報を収集するにあたり番組の多くのチャンネルが頻繁に切り替えられた場合にチャンネル切り替えされた当該番組の嗜好度をより下げる手段を備えたことを特徴とする番組嗜好情報収集装置。
【請求項４】
ユーザーの視聴履歴から番組嗜好情報を収集する場合に番組の最後の方まで視聴された当該番組の嗜好度をより上げることを特徴とする番組嗜好情報収集方法。
【請求項５】
ユーザーの番組視聴履歴から番組嗜好情報を収集する場合に番組の先頭の方だけ視聴されチャンネル切り替えされた当該番組の嗜好度をより下げることを特徴とする番組嗜好情報収集方法。
【請求項６】
ユーザーの番組視聴履歴から番組嗜好情報を収集するにあたり番組の多くのチャンネルが頻繁に切り替えられた場合にチャンネル切り替えされた当該番組の嗜好度をより下げることを特徴とする番組嗜好情報収集方法。
【発明の詳細な説明】
【技術分野】
【０００１】
本発明は、テレビジョン受像装置等の番組視聴端末に係り、特に番組嗜好情報収集装置及び番組嗜好情報収集方法に関する。
【背景技術】
【０００２】
テレビジョン受像装置等では番組嗜好情報収集が行われるようになってきた。一般には、そのための最も単純な方法として、当該番組の視聴時間(×回数)の多さで重み付けを行うやり方が多く用いられてきた。
【０００３】
それに関連した工夫をすることも行われるようになった。例えば特許文献１にある方法は、番組の視聴回数または番組解説内容の視聴回数を基に、該視聴された日付が新しい番組ほど得点が高くなるように番組毎に得点を計算するというものである。このような方法も一法ではあるが、ユーザーの行動に則った実感のある嗜好度を得られるものではなかった。
【特許文献１】特開２００１−１６５２２号公報（１７頁、図１）
【発明の開示】
【発明が解決しようとする課題】
【０００４】
本発明は、ユーザーの行動に則ったより実感のある嗜好度を得られる番組嗜好情報収集装置及び番組嗜好情報収集方法を提供することを目的とする。
【課題を解決するための手段】
【０００５】
上記課題を解決するために、本発明の番組嗜好情報収集装置は、例えば番組視聴端末によるユーザーの視聴履歴から番組嗜好情報を収集する場合に番組の最後の方まで視聴された当該番組の嗜好度をより上げる手段を具備することを特徴とする。
【０００６】
また本発明の番組嗜好情報収集方法は、例えば番組視聴端末によるユーザーの視聴履歴から番組嗜好情報を収集する場合に番組の最後の方まで視聴された当該番組の嗜好度をより上げることを特徴とする。
【発明の効果】
【０００７】
本発明によれば、ユーザーの行動に則ったより実感のある嗜好度を得られる番組嗜好情報収集装置及び番組嗜好情報収集方法が得られる。
【発明を実施するための最良の形態】
【０００８】
以下、本発明の実施例を説明する。
【実施例１】
【０００９】
本発明による実施例１を図１乃至図５を参照して説明する。
図１は、この発明の一実施例であるデジタルテレビジョン放送受信装置１１１の主要な信号処理系を示している。実施例のハードウェア構成を示す図である。
すなわち、ＢＳ／ＣＳデジタル放送受信用のアンテナ２４３で受信した衛星デジタルテレビジョン放送信号は、入力端子２４４を介して衛星デジタル放送用のチューナ２４５ａに供給される。
【００１０】
チューナ２４５ａは、制御部２６１からの制御信号により所望のチャンネルの放送信号を選局し、この選局された放送信号をＰＳＫ（Phase Shift Keying）復調器２４５ｂに出力する。
【００１１】
ＰＳＫ復調器２４５ｂは、制御部２６１からの制御信号により、チューナ２４５ａで選局された放送信号を復調し、所望の番組を含んだトランスポートストリームを得て、ＴＳ復号器２４５ｃに出力する。
【００１２】
ＴＳ復号器２４５ｃは、制御部２６１からの制御信号によりトランスポートストリーム（ＴＳ）多重化された信号のＴＳ復号処理を行い、所望の番組のデジタルの映像信号及び音声信号を信号処理部２４７に出力し、デジタル放送により送られている番組を取得するための各種データ（サービス情報），電子番組ガイド（ＥＰＧ）情報，番組属性情報（番組ジャンル等），字幕情報等を制御部２６１へ出力する。
【００１３】
また、地上波放送受信用のアンテナ２４８で受信した地上デジタルテレビジョン放送信号は、入力端子２４９を介して地上デジタル放送用のチューナ２５０ａに供給される。
【００１４】
チューナ２５０ａは、制御部２６１からの制御信号により所望のチャンネルの放送信号を選局し、この選局された放送信号をＯＦＤＭ（Orthogonal Frequency Division Multiplexing）復調器２５０ｂに出力する。
【００１５】
ＯＦＤＭ復調器２５０ｂは、制御部２６１からの制御信号により、チューナ２５０ａで選局された放送信号を復調し、所望の番組を含んだトランスポートストリームを得て、ＴＳ復号器２５０ｃに出力する。
【００１６】
ＴＳ復号器２５０ｃは、制御部２６１からの制御信号によりトランスポートストリーム（ＴＳ）多重化された信号のＴＳ復号処理を行い、所望の番組のデジタルの映像信号及び音声信号を信号処理部２４７に出力し、デジタル放送により送られている番組を取得するための各種データや電子番組ガイド（ＥＰＧ）情報，番組属性情報（番組ジャンル等）等を制御部２６１へ出力する。
【００１７】
また、上記地上波放送受信用のアンテナ２４８で受信した地上アナログテレビジョン放送信号は、入力端子２４９を介して地上アナログ放送用のチューナ２５２ａに供給されることにより、所望のチャンネルの放送信号が選局される。そして、このチューナ２５２ａで選局された放送信号は、アナログ復調器２５２ｂに供給されてアナログの映像信号及び音声信号に復調された後、上記信号処理部２４７に出力される。
【００１８】
ここで、上記信号処理部２４７は、ＰＳＫ復調器２４５ｂ及びＯＦＤＭ復調器２５０ｂからそれぞれ供給されたデジタルの映像信号及び音声信号に対して、選択的に所定のデジタル信号処理を施し、グラフィック処理部２５４及び音声処理部２５５に出力している。
【００１９】
また、上記信号処理部２４７には、複数（図示の場合は４つ）の入力端子２５６ａ，２５６ｂ，２５６ｃ，２５６ｄが接続されている。これら入力端子２５６ａ〜２５６ｄは、それぞれ、アナログの映像信号及び音声信号を、デジタルテレビジョン放送受信装置１１１の外部から入力可能とするものである。
【００２０】
信号処理部２４７は、上記アナログ復調器２５３及び各入力端子２５６ａ〜２５６ｄからそれぞれ供給されたアナログの映像信号及び音声信号を選択的にデジタル化し、このデジタル化された映像信号及び音声信号に対して所定のデジタル信号処理を施した後、グラフィック処理部２５４及び音声処理部２５５に出力する。
【００２１】
グラフィック処理部２５４は、信号処理部２４７から供給されるデジタルの映像信号に、ＯＳＤ（On Screen Display）信号生成部２５７で生成されるＯＳＤ信号を重畳して出力する機能を有する。このグラフィック処理部２５４は、信号処理部２４７の出力映像信号と、ＯＳＤ信号生成部２５７の出力ＯＳＤ信号とを選択的に出力すること、また、両出力をそれぞれ画面の半分を構成するように組み合わせて出力することができる。
【００２２】
また、字幕放送による字幕を表示するとき、グラフィック処理部２５４は、制御部２６１からの制御信号および字幕情報に基づき、映像信号上に字幕情報を重畳する処理を行う。
【００２３】
グラフィック処理部２５４から出力されたデジタルの映像信号は、映像処理部２５８に供給される。この映像処理部２５８は、入力されたデジタルの映像信号を、前記映像表示器１１４で表示可能なフォーマットのアナログ映像信号に変換した後、映像表示器１１４に出力して映像表示させるとともに、出力端子２５９を介して外部に導出させる。
【００２４】
また、上記音声処理部２５５は、入力されたデジタルの音声信号を、前記スピーカ１１５で再生可能なフォーマットのアナログ音声信号に変換した後、スピーカ１１５に出力して音声再生させるとともに、出力端子２６０を介して外部に導出させる。
【００２５】
ここで、このデジタルテレビジョン放送受信装置１１１は、上記した各種の受信動作を含むその全ての動作を制御部２６１によって統括的に制御されている。この制御部２６１は、ＣＰＵ（Central Processing Unit）等を内蔵しており、前記操作部１１６からの操作情報を受け、または、リモートコントローラ１１７から送出された操作情報を、前記受光部１１８を介して受信し、その操作内容が反映されるように各部をそれぞれ制御している。
【００２６】
この場合、制御部２６１は、主として、そのＣＰＵが実行する制御プログラムを格納したＲＯＭ（Read Only Memory）２６１ａと、該ＣＰＵに作業エリアを提供するＲＡＭ（Random Access Memory）２６１ｂと、各種の設定情報及び制御情報等が格納される不揮発性メモリ２６１ｃとを利用している。後述の機能はこの不揮発性メモリ２６１ｃにおいて実装される。
【００２７】
また、この制御部２６１は、カードＩ／Ｆ（Interface）２６５を介して、前記第１のメモリカード１１９が装着可能なカードホルダ２６６に接続されている。これによって、制御部２６１は、カードホルダ２６６に装着された第１のメモリカード１１９と、カードＩ／Ｆ２６５を介して情報伝送を行なうことができる。
【００２８】
さらに、上記制御部２６１は、カードＩ／Ｆ２６７を介して、前記第２のメモリカード１２０が装着可能なカードホルダ２６８に接続されている。これにより、制御部２６１は、カードホルダ２６８に装着された第２のメモリカード１２０と、カードＩ／Ｆ２６７を介して情報伝送を行なうことができる。
【００２９】
また、上記制御部２６１は、通信Ｉ／Ｆ２６９を介して第１のＬＡＮ端子１２１に接続されている。これにより、制御部２６１は、第１のＬＡＮ端子１２１に接続されたＬＡＮ対応のＨＤＤ１２５と、通信Ｉ／Ｆ２６９を介して情報伝送を行なうことができる。この場合、制御部２６１は、ＤＨＣＰ（Dynamic Host Configuration Protocol）サーバ機能を有し、第１のＬＡＮ端子１２１に接続されたＬＡＮ対応のＨＤＤ１２５にＩＰ（Internet Protocol）アドレスを割り当てて制御している。
【００３０】
さらに、上記制御部２６１は、通信Ｉ／Ｆ２７０を介して第２のＬＡＮ端子１２２に接続されている。これにより、制御部２６１は、第２のＬＡＮ端子１２２に接続された各機器と、通信Ｉ／Ｆ２７０を介して情報伝送を行なうことができる。
【００３１】
また、上記制御部２６１は、ＵＳＢ  Ｉ／Ｆ２７１を介して前記ＵＳＢ端子１２３に接続されている。これにより、制御部２６１は、ＵＳＢ端子１２３に接続された各機器と、ＵＳＢ  Ｉ／Ｆ２７１を介して情報伝送を行なうことができる。
【００３２】
さらに、上記制御部２６１は、ｉ．ＬＩＮＫ  Ｉ／Ｆ２７２を介してｉ．ＬＩＮＫ端子１２４に接続されている。これにより、制御部２６１は、ｉ．ＬＩＮＫ端子１２４に接続された各機器と、ｉ．ＬＩＮＫ  Ｉ／Ｆ２７２を介して情報伝送を行なうことができる。
【００３３】
ところで、この実施形態では、ＨＤＤ（図示せず）があってもよい。それぞれのストレージＩＤを記憶している。
また、制御部２６１は、ＵＰｎＰを利用した（１）サーバー機器発見機能２６１ｄと、（２）ＵＰｎＰを利用したコンテンツ情報取得機能２６１ｅと、（３）コンテンツアクセス制御機能２６１ｆとを備えている。
【００３４】
（１）制御部２６１は、サーバー機器発見機能２６１ｄにより、ＵＰｎＰのディスカバリ機能を用いてネットワーク上のＵＰｎＰ対応機器を発見する。
（２）制御部２６１は、コンテンツ情報取得機能２６１ｅにより、ＵＰｎＰのコントロール機能を用いてＵＰｎＰ対応機器をコントロールし、ＵＰｎＰ対応機器内のコンテンツをアクセスするために必要なＵＲＩ情報を取得する。例えばコンテンツ情報取得機能２６１ｅは、外部のＰＣをコントロールし、ＰＣ内のＨＤＤ等に蓄積されているコンテンツをアクセスするために必要なＵＲＩ情報をＰＣから取得する。
【００３５】
（３）制御部２６１は、コンテンツアクセス制御機能２６１ｆにより、サーバー機器発見機能２６１ｄにより取得したサーバー機器のＩＰアドレス情報と、コンテンツ情報取得機能２６１ｅにより取得したＵＲＩ情報から得たＩＰアドレス情報と、デジタルテレビジョン放送受信装置１１１のＬＡＮ端子１２２に割り当てられたＩＰアドレスとネットマスクに基づいてコンテンツへのアクセス可否判定を行う。そして制御部２６１は、アクセス可と判断した場合にはコンテンツアクセスを許可するが、否と判断した場合には許可できない旨を映像表示器１１４にＯＳＤにより表示させる。
【００３６】
デジタルテレビジョン放送受信装置１１１は、内部に時計２８０を有しており、時刻管理を行うことができる。
このデジタルテレビジョン放送受信装置１１１は、通常、番組のＭＰＥＧトランスポートストリームをＡＶ−ＨＤＤ１４１へ記録する。
図２は実施例のチャンネル切替動作を示す概略図である。この図を元にまず、ラスト視聴優先の動作について説明する。
ユーザーはまず、番組Aをすべて視聴し、そのままチャンネルを変更せずに番組Bを視聴、ところがユーザー嗜好の番組でない為、直ちに番組Eへチャンネル変更を行った。同様にして他のチャンネルもユーザー嗜好でない番組が続き、番組G→番組J→番組M→番組O→番組U→番組W→番組Yとチャンネル変更を行い、一通りの番組を短時間一巡した。その上で、ユーザーはその中では相対的に一番視聴したい番組Uを再度選択し、番組Uを終了まで視聴した。この場合、端末は番組Uが一度は（他の残りの未選択チャンネルの番組内容を確認するためではあるが）チャンネルを短時間で他チャンネルに切り替えたものの、番組Uがユーザーに最後まで視聴された履歴をもって、比較的ユーザー嗜好の強い番組であるということを検出し、記録する。
【００３７】
その後、ユーザーは、そのままチャンネルを変更せずに番組Vをある程度の時間（全体の半分の時間くらい）視聴したが、その後チャンネル変更し番組Qを選択し、番組Qは終了まで視聴したとする。この場合、端末は番組の途中からではあるが、番組Qが終了まで視聴された履歴をもって、（例えその直前に視聴していた番組Vの方が視聴時間が長かったとしても）最もユーザーにとって嗜好度の強い番組（番組の最初から最後まで視聴した番組と同等）であるということを検出し、記録する。
【００３８】
また、ユーザーが上記チャンネル変更の過程で選択した番組で、ユーザー嗜好の番組でない為、直ちに他の番組へチャンネル変更を行った番組が存在する。これらの番組は、ユーザーが（知ってか知らずかに関わりなく、端末が自動検知しようがないので）番組放送時間中一度もチャンネル変更して選択しなかった未選択番組よりも、さらにユーザーが明示的に選択しなかった嗜好度の弱い番組であるわけであると判断し、端末は、これらの明示的非選択番組（図２上の番組B、番組E、番組G、番組J、番組M、番組O、番組W、番組Y）の嗜好度を全く未選択の番組よりも弱い（低い）と検出し、記録する。
【００３９】
図３は、実施例のチャンネル切替動作を示す別の概略図である。
この図でユーザーは、番組Aを全て視聴後、番組B→番組E→番組G→番組J→番組M→番組O→番組U→番組W→番組Y→番組B→番組E→番組G→番組J→番組M→番組O→番組U→番組W→番組Yと、極めて短時間の間にチャンネルを頻繁に変更した場合、端末は当該曜日、当該時間帯においてユーザーが見たい番組がない状態であると検出（端末は、ユーザーが暇なためとりあえず時間つぶしに放送を視聴していると判断する）。この場合端末は当該曜日、当該時間帯の番組全てに対して、視聴時間に関わりなく、嗜好度を下げる。
【００４０】
図４は、実施例の番組嗜好度の一例を示す概略図である。横軸はある番組の時間であり、０．０が開始で１．０が終了である。また縦軸はその時間に視聴した場合のポイントであり、開始時点の０から終了時点の１へとより上昇していくようラスト視聴優先に設定してある。単にトータル時間で評価することの問題点を回避するようにしている。即ち、優先度の高い番組でも途中から気付いて(ユーザーの意思に反して)見る可能性がありこの場合、従来手法であれば優先度が高い番組なのに累積視聴時間では低くみなされてしまうが、上記方法によれば番組の最後の方まで見るユーザーの意思が確実に反映される。
【００４１】
嗜好度の数値は、このポイントを適当な刻み幅(30秒〜1分くらい)で、時間積分（和分）する。例えば、図４でΔｔで示した区間は時点０．６過ぎに始まり、時点０．６５近くに終わっている。始まりの時点はこの番組を見始めた時点である。また、終わりの時点はこの番組のポイントを加算する時点である。Δｔ以内にチャネルを切換えた場合にはポイントは加算されない。
【００４２】
図５は、実施例の番組嗜好度の各例を示す概略図である。図４と同じ実線の嗜好度曲線の他に、各種の設定可能な嗜好度曲線を破線で示してある。曲線形状データは不揮発性メモリ２６１ｃ格納されており、制御部２６１はＲＡＭ２６１ｂに該当部分を読み出し、上記計算を行う。
【００４３】
本実施例は番組視聴端末による、ユーザーの視聴履歴から番組嗜好情報を自動収集する方法であって、最後まで視聴した番組の嗜好度を上げ、先頭だけ視聴して直ぐにチャンネル切替えした番組は嗜好度をマイナスし、頻繁にチャンネルを変える時間帯（曜日）は当該時間帯（曜日）の全てのチャンネルの嗜好度を落とす。
【００４４】
以上のように、本発明の方法を使用すれば、ユーザーの視聴履歴から番組嗜好情報を自動収集する場合において、視聴時間（実時間、番組の全時間中の割合、見た見ないの２値）×視聴回数（シリーズ放送）で単純に重み付けを行う場合に較べて、遥かに正確なユーザー番組嗜好情報を自動収集できるようになる。
【００４５】
なお、この発明は上記実施例に限定されるものではなく、この他その要旨を逸脱しない範囲で種々変形して実施することができる。
また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【図面の簡単な説明】
【００４６】
【図１】この発明の一実施例を示すブロック構成図。
【図２】同実施例のチャンネル切替動作を示す概略図 その１。
【図３】同実施例のチャンネル切替動作を示す概略図 その２。
【図４】同実施例の番組嗜好度の一例を示す概略図。
【図５】同実施例の番組嗜好度の各例を示す概略図。
【符号の説明】
【００４７】
１１１…デジタルテレビジョン放送受信装置、１１４…映像表示器、１１５…スピーカ、１１６…操作部、１１７…リモートコントローラ、１１８…受光部、１１９…第１のメモリカード、１２０…第２のメモリカード、１２１…第１のＬＡＮ端子、１２２…第２のＬＡＮ端子、１２３…ＵＳＢ端子、１２４…ｉ．ＬＩＮＫ端子、２６１…制御部、２６１ａ…ＲＯＭ、２６１ｂ…ＲＡＭ、２６１ｃ…不揮発性メモリ、２６１ｄ…サーバー機器発見機能、２６１ｅ…コンテンツ情報取得機能、２６１ｆ…コンテンツアクセス制御機能。
【図１】
2008135942.tif 000003
【図２】
2008135942.tif 000004
【図３】
2008135942.tif 000005
【図４】
2008135942.tif 000006
【図５】
2008135942.tif 000007